(57)【要約】【課題】頭部の重量にばらつきがあったり、頭部が重かったりしても確実に首振り動作をさせることができる首振り玩具を提供すること。【解決手段】首振り玩具の頭部３は胴体部５に揺動可能に軸支されたアーム７の上部に取り付けられて胴体部５に対し揺動可能であり、上記胴体部内部に配置された上記アーム７の下部には磁石１１が取り付けられ、上記アーム７の支点の鉛直線上で上記磁石１１に対向する位置にはコイル２０が配置され、該コイル２０は上記磁石１１と反発するように励磁され、上記アーム７の揺動の切り換わり位置の近傍には上記磁石１１に反発する固定磁石２１を配置し、上記コイル２０は太陽電池２２を電源として励磁するようにした。【選択図】        図２
2004358066.tif 000002
【特許請求の範囲】
【請求項１】
以下の要件を備えることを特徴とする首振り玩具。
（イ）上記首振り玩具の頭部は胴体部に揺動可能に軸支されたアームの上部に取り付けられ、上記頭部は胴体部に対し揺動可能であること
（ロ）上記アームの下部は上記胴体部内部に配置され、その先端部には磁石が取り付けられていること
（ハ）上記アームの揺動支点の鉛直線上で上記磁石に対向する位置にはコイルが配置され、該コイルは上記磁石と反発するように励磁されること
（二）上記アームの揺動の切り換わり位置の近傍には上記磁石に反発する固定磁石を配置したこと
（ホ）上記コイルは太陽電池を電源として励磁されること
【発明の詳細な説明】
【０００１】
【発明の属する技術分野】
本発明は、首振り玩具、詳しくは太陽電池を電源として首を振る動作をする首振り玩具に関する。
【０００２】
【従来の技術】
従来、太陽電池を電源として所定の物体を連続して揺動させるものの一例として注意喚起用媒体がある。この注意喚起用媒体は表示体を連続して揺動させることにより人の注意を喚起するようにしたものである（例えば、特許文献１参照）。
【０００３】
【特許文献１】
登録実用新案第３０７８２２１号公報（第２頁、図２）
【０００４】
【発明が解決しようとする課題】
しかしながら、表示体を樹脂などの成形品で作成すれば表示体の重量を一定にすることができるが、縫いぐるみ玩具に適用した場合は、頭部の重量を一定にすることが難しく、一方に傾いたまま停止して継続して頭部の首振り運動をさせることができなくなる恐れがあった。
【０００５】
本発明は上記問題点を解消し、頭部の重量にばらつきがあったり、頭部が重かったりしても確実に首振り動作をさせることができる首振り玩具を提供することをその課題とする。
【０００６】
【課題を解決するための手段】
前記課題を解決するため、本発明に係る首振り玩具は、以下の要件を備えることを特徴とする。
（イ）上記首振り玩具の頭部は胴体部に揺動可能に軸支されたアームの上部に取り付けられ、上記頭部は胴体部に対し揺動可能であること
（ロ）上記アームの下部は上記胴体部内部に配置され、その先端部には磁石が取り付けられていること
（ハ）上記アームの揺動支点の鉛直線上で上記磁石に対向する位置にはコイルが配置され、該コイルは上記磁石と反発するように励磁されること
（二）上記アームの揺動の切り換わり位置の近傍には上記磁石に反発する固定磁石を配置したこと
（ホ）上記コイルは太陽電池を電源として励磁されること
【０００７】
【発明の実施の形態】
図１は、本発明に係る首振り玩具を示し、この首振り玩具は基台１の上にお座りした犬を模した玩具体２の頭部３が左右に揺動するようにしたものである。
【０００８】
この首振り玩具は、胴体部５に形成された軸受部６にアーム７の支軸８が揺動可能に支持され、胴体部５に対しアーム７が左右に揺動できるようになっており、このアーム７の上部は胴体部５の上方に突出し、頭部材９が固定されているのでアーム７が揺動すると頭部材９が左右に揺動するようになっている。このアーム７の下部には方形状の枠体１０が形成され、この枠体１０には磁石１１と錘部材１２とが嵌め込まれている（図２参照）。
【０００９】
頭部材９の外側面は植毛された布などで犬の頭部を模して形成された縫いぐるみ外皮用部材１５で覆われている。
【００１０】
胴体部５は方形状の基部５ａを基台１の上面に形成された方形状の嵌合孔１６に嵌め合わせることにより基台１に固定することができるようになっており、胴体部５の外側面は植毛された布などで犬の胴体部５を模して形成された縫いぐるみ外皮用部材１７で覆われている。
【００１１】
なお、外皮用部材１５、１７はネコやウサギなどの動物であれば犬の形状に限定されるものではない。
【００１２】
胴体部５の内部には、上記磁石１１に反発するように励磁されるコイル２０と、磁石１１に反発する固定磁石２１（２１ａ、２１ｂ）とが配置されている。
【００１３】
コイル２０は、図３（ａ）に示すように、上記アーム７の支軸８の鉛直線上で、磁石１１に対面する位置に配置され、太陽電池２２を電源として作動する制御回路から出力されるパルス電流で間欠的に励磁されるようになっている。励磁されたコイル２０と磁石１１とは互いに反発するように磁極が設定されている。
【００１４】
固定磁石２１は、図３（ｂ）に示すように、アーム７の揺動の切り換わり位置の近傍に配置され、アーム７に取り付けられている磁石１１の磁極と同じ磁極同士が対向するように配置され、アーム７が揺動して磁石１１が固定磁石２１に接近すると磁石１１と固定磁石２１とが反発し、互いの磁力はアーム７を押し戻す方向に作用するようになっている。
【００１５】
なお、図３（ｂ）において、符合２３は、太陽電池２２を電力としてコイル２０を励磁するパルス電流を出力する後述する制御回路２４をマウントした電子基板を示す。
【００１６】
図４は、首振り玩具の電気的概要を説明するブロック図を示し、太陽電池２２で誘起された電力は周知の制御回路２４でパルス電流に変換されて出力され、このパルス電流がコイル２０に流れると、コイル２０は間欠的に励磁され、励磁時にはアーム７の先端に設けられた磁石１１と反発するようになっている。
【００１７】
上記構成の首振り玩具によれば、太陽電池２２が電気を誘起すると、制御回路２４から出力されるパルス電流によりコイル２０が間欠的に励磁される。
【００１８】
コイル２０が励磁されるとアーム７の先端に設けられた磁石１１はコイル２０と反発してアーム７を左右何れかの方向（例えば、図５（ａ）に示すように、反時計方向）に揺動させるが頭部が重いのでコイル２０の励磁が解除されても惰性でさらに揺動する。
【００１９】
アーム７が大きく揺動し、磁石１１が固定磁石２１（２１ｂ）に接近すると固定磁石２１（２１ｂ）と磁石１１とが反発するので、反発力はアーム７を押し戻す方向に作用する。
【００２０】
再びコイル２０が励磁されると磁石１１はコイル２０に反発してアーム７は、図５（ｂ）に示すように、時計方向に揺動させられ、コイル２０の励磁が解除されても惰性でさらに時計方向に揺動する。揺動先には固定磁石２１（２１ａ）の磁力が反発方向に働くように固定磁石２１（２１ａ）が配置されているので、アーム７は押し戻されて反対側（反時計方向）に揺動し、頭部３の揺動は継続して行なわれるようになる。
【００２１】
磁石１１とコイル２０の磁力関係だけでは頭部３を継続して揺動させることはできないが、アーム７の揺動のリミット近傍で固定磁石２１による反発力が押し戻し方向に作用するので、アーム７の揺動方向が強制的に切り換えさせられ、傾いた状態でアーム７の揺動が停止するようなことはなくなり、確実に頭部３の揺動を継続させることができる。
【００２２】
【発明の効果】
本発明によれば、太陽電池でコイルが励磁されるとアームに取り付けられた磁石に反発してアームが揺動するとともに、揺動が停止しないように固定磁石で強制的にアームを押し戻すようにしたので、頭部を支持するアームが傾いた状態で揺動が停止するような事態は回避され、玩具の首振り動作を継続して行なうことができる首振り玩具を実現することができる。
【図面の簡単な説明】
【図１】本発明に係る首振り玩具の一例を示す斜視図
【図２】上記首振り玩具の分解斜視図
【図３】（ａ）（ｂ）は上記首振り玩具の要部断面図
【図４】上記首振り玩具の電気的概要を説明するブロック図
【図５】（ａ）（ｂ）は上記首振り玩具の揺動動作を説明する正面側要部断面図
【符号の説明】
１  基台
２  玩具体
３  頭部
５  胴体部
７  アーム
１１  磁石
２０  コイル
２１  固定磁石
２２  太陽電池
【図１】
2004358066.tif 000003
【図２】
2004358066.tif 000004
【図３】
2004358066.tif 000005
【図４】
2004358066.tif 000006
【図５】
2004358066.tif 000007